【事件の表示】
　平成　９年特許願第３４２７５６号「レンズ装置、カメラ装置及び撮像システム」拒絶査定不服審判事件〔平成１１年　７月　２日出願公開、特開平１１−１７４３０８〕について、次のとおり審決する。
【結　論】
　本件審判の請求は、成り立たない。
【理　由】
１　手続の経緯 
　本願は、平成９年１２月１２日の出願であって、平成１５年１２月１日付けで拒絶査定がなされ、この拒絶査定に対して平成１６年１月８日に拒絶査定不服審判の請求がなされるとともに、平成１６年２月９日付けで手続補正がなされ、その後、平成１９年１月１５日付けで当審から拒絶理由が通知され、平成１９年３月１９日付けで手続補正がなされたものである。
　
２　本願発明
本願の請求項１に係る発明は、平成１９年３月１９日付けの手続補正により補正された明細書及び図面の記載からみて、特許請求の範囲の請求項１に記載された事項により特定される以下のとおりのものと認める。（以下「本願発明」という。）
　
「【請求項１】　フォーカス動作を行うフォーカス手段と、
　ズーム動作を行う変倍レンズ手段と、
　上記変倍レンズ手段を操作するレンズ側ズーム操作手段と、
　上記レンズ側ズーム操作手段からのレンズ側ズーム操作情報と上記変倍レンズ手段がテレ端にあるか否かを示す光学テレ端情報とを出力するレンズ側情報出力手段と、
　外部からの情報を入力するレンズ側情報入力手段と、
　上記変倍レンズ手段のズーム動作と上記フォーカス手段のフォーカス動作とを制御する制御手段とを有するレンズ装置と、
　上記レンズ側情報出力手段から上記レンズ側ズーム操作情報と上記光学テレ端情報とを入力する撮像装置側情報入力手段と、
　上記変倍レンズ手段に対する撮像装置側ズーム操作情報を入力する撮像装置側ズーム操作手段と、
　上記変倍レンズ手段のズーム動作を制御する光学ズーム制御情報を作成し上記レンズ側情報入力手段に出力する撮像装置側情報出力手段とを有する撮像装置とを備え、
　上記光学ズーム制御情報は上記レンズ側ズーム操作情報と上記撮像装置側ズーム操作情報と、上記光学テレ端情報から変倍レンズ手段の駆動を停止させるズーム停止情報とに基づいて作成され、
　当該光学ズーム制御情報に基づいて上記変倍レンズ手段を移動させる場合に上記制御手段が上記変倍レンズ手段の移動速度と上記フォーカス手段の移動速度および移動方向を計算し駆動させ、上記光学ズーム制御情報として上記ズーム停止情報を受信した場合には上記変倍レンズ手段を停止させるとともに上記計算を行わないことを特徴とする撮像システム。」
　
３　刊行物に記載された発明　
　当審からの拒絶の理由に引用され、本願の出願前に頒布された特開平９−２４３８９９号公報（以下「引用刊行物１」という。）には、「撮影レンズ及びそれを用いた光学機器」の発明に関して、以下の事項が記載されている。
＜記載事項１＞
「【０００１】
【発明の属する技術分野】本発明は撮影レンズ及びそれを用いた光学機器に関し、特にビデオカメラ，スチルカメラ，監視カメラ等の光学機器においてズーム操作を適切に行ったものである。」
＜記載事項２＞
「【００４８】図２４は交換レンズシステムのブロック構成を説明する為の図である。ここでは前述と同様にビデオカメラで多用されている被写体側から順に正，負，正，正の屈折力のレンズ群より成る４群構成のズームレンズでの実施の形態を説明するが、これ以外のレンズ構成であってもよい。
【００４９】被写体からの光は固定されている第１のレンズ群１１１、変倍を行なう第２のレンズ群であるバリエーターレンズ群１１２、絞り１３６、固定されている第３のレンズ１１３、ピント調整機能と変倍に伴うピント面の移動を補正するコンペ機構とを兼ね備えた第４のレンズ群であるフォーカスレンズ群１１４を通って３原色中の赤の成分はＣＣＤ等の撮像素子３０３〜３０５の上にそれぞれ結像される。」
＜記載事項３＞
「【００５１】本体マイコン４０９が読み出したこれらの情報は、カメラ側のズームスイッチ等の各操作スイッチの情報（図示せず）と合わせて、カメラ側接点３０７、レンズ側接点３１８を通り、レンズマイコン４１０へ転送される。レンズマイコン４１０は本体マイコン４０９から送られた自動焦点調節の為の各種情報に基づいてモーター制御プログラムを実行し、モータードライバ１６２でモーター１３７を駆動して、フォーカスレンズ群１１４を光軸方向に移動させてピント合わせを行う。
【００５２】又、レンズマイコン４１０は、本体マイコン４０９より送られたズームスイッチの状態の情報によっても動作が必要な場合には、レンズマイコン４１０内に納められた、前述の被写体距離に応じたピントを維持する為のバリエーターレンズ群１１２とフォーカスレンズ群１１４の位置データを元に、ズーム中ピント面を維持する動作をする様、ズームモータードライバ１６１とフォーカスモータードライバ１６２に信号を与える。
【００５３】ズームモータードライバ１６１とフォーカスモータードライバー１６２は、レンズマイコン４１０からの信号に基づき、それぞれズームモータ１４５とフォーカスモーター１３７を駆動し、バリエーターレンズ群１１２、フォーカスレンズ群１１４を光軸方向に移動させて、ピント位置が動くことなくズーム動作を行う。」
＜記載事項４＞
「【００５５】この様にカメラ側の本体マイコン４０９とレンズマイコン４１０の２つのマイコンと、この２つのマイコンの通信路に着脱可能にカメラ側とレンズ側の両方に接点３０７と３１８を設けることにより、カメラ本体４１９に対してレンズユニット４１８を着脱可能にすると同時に、レンズとカメラが一体となった一般的なビデオカメラと同様な自動焦点調節、自動露光調節、ズーム動作を何んら問題なく行うことができる。
【００５６】又、この様な交換レンズ方式のカメラ装置においてレンズマイコンと本体マイコン（又はカメラマイコン）との間は接点どおしの接触により通信路が形成される。この構成を図２５，図２６に示す。」
＜記載事項５＞
「【００６３】
【発明が解決しようとする課題】前述したインナーフォーカスタイプのズームレンズにおいて、いかにズーミング速度の高速化を可能にしても図２１の１５７で示す様なズームスイッチでは画角設定をきめ細かく、かつ速く行うことが達成しずらく、インナーフォーカスレンズにおいても前玉フォーカスレンズ同様、レンズ光軸を回転中心としたリングの回動動作によるズーム操作が望まれていた。」
＜記載事項６＞
「【００８４】
【発明の実施の形態】図１は本発明の実施形態１の要部ブロック図である。図中、４１８は撮影レンズであり、マウント面を介してカメラ本体４１９に着脱可能に装着されている。
【００８５】１１１は固定の正の屈折力の第１群、１１２は変倍用の負の屈折力の第２群（バリエーター，変倍群）１３６は絞り、１１３は固定の正の屈折力の第３群、１１４は変倍に伴う像面変動を補正すると共にフォーカス（合焦）を行う為に光軸上移動する正の屈折力の第４群（フォーカス群，コンペンセーター）である。
【００８６】本実施形態では第１群１１１〜第４群１１４より、所謂リヤーフォーカス式のズームレンズを構成している。」
＜記載事項７＞
「【００９２】４１０はレンズマイコン（レンズ制御手段，レンズＣＰＵ）であり、ズームレンズの各種の駆動を制御している。」
＜記載事項８＞
「【００９４】１５１は撮像素子であり、ＣＣＤ等から成っており、その面上にはズームレンズＺＬによる被写体像が形成されている。１５２はカメラ信号処理回路であり、ＣＣＤ１５１からの信号を処理している。５０３はＡ／Ｄ変換器であり、カメラ信号処理回路１５２からのアナログ映像信号をデジタル映像信号に変換している。５０４はメモリ（記憶手段）であり、Ａ／Ｄ変換器５０３からのデジタル映像信号を記憶している。１５７はズーム操作手段であり、撮影者がズーム操作によりワイド側からテレ側へ又はテレ側からワイド側へのズーミングを行っている。４０９はカメラマイコン（カメラ本体マイコン，カメラ用ＣＰＵ）であり、ズーム操作手段１５７からのズーム操作信号に基づいて電子ズーム又は光学ズームを行っている。」
＜記載事項９＞
「【００９６】前述の各要素５０２，５０４等は電子ズーム手段の一要素を構成している。レンズマイコン４１０とカメラマイコン４０９は接点ブロックを介して各種の信号の授受を行っている。」
＜記載事項１０＞
「【０１０８】ここで図５の縦軸には第２群の移動速度としたが、実際には第２群の位置（ズーム位置）に応じて異なる速度としても良い。例えば図７に示すように広角端（ワイド端）から望遠端（テレ端）への変倍に際して望遠端を含む所定範囲で第２群の移動速度を低速化するようにしても良い。」
＜記載事項１１＞
「０１１０】図７の例では一点鎖線→破線→２点鎖線→実線の順に図５の時間Δｔが短くなる方向で速度を高速化して対応させている。これによりフォーカスレンズとしての第３群を駆動手段（フォーカスモーター）で駆動させるときの高速化を適切に制御している。このようにリング部材５０６の回転方向と回動速度をもって変倍を行う場合に操作者に極力違和感を与えない様にする為に本実施形態では図５の速度Ｃのときのテレ端からワイド端への変倍に必要な時間（ズーム時間）を例えば１秒以下にする等、リニアモーターやステップモーター等を用いて実現している。」
＜記載事項１２＞
「【０１２０】次に本発明の実施形態２について説明する。本実施形態は図１で示したのと同様のブロック構成より成り、リング部材を有する交換レンズを用い、カメラ本体側に電子ズームを設けて、ズーミング操作により光学ズームと電子ズームを行う場合を示している。
【０１２１】本実施形態は表−１の動作Ｓ２に相当している。
【０１２２】図９は本実施形態においてレンズマイコン４１０でズーミング動作を行うときのフローチャートである。
【０１２３】まず、ステップ６０１でスタートする。ステップ６０２でリング部材５０６の回動が操作者によって行われたかどうかを判別し、行われていなければステップ６０４にてカメラ本体側のズーム操作手段１５７からの状況を判別する。この際にはカメラ（本体）マイコン４０９より接点部（接点ブロック）を介してレンズマイコン４１０に送られたカメラ側のズームスイッチ１５７の操作状況が必要となる。ここでもズーム操作が行われていなければＮとなり、スタートへ戻る。又仮にリング部材５０６とカメラ本体側のズームスイッチ１５７が両方操作されているような場合では、この例のフローチャートではリング部材５０６の操作が第１優先となる。この順位付けはステップ６０２とステップ６０４を入れ換えることによって対応している。
【０１２４】どちらかのズームスイッチが操作されている場合にはステップ６０３にてその操作がテレ端からワイド端へ向かう（短焦点距離側へ向かう）操作なのか又はワイド端からテレ端へ向かう（長焦点距離側へ向かう）操作なのかを判別する。ワイド端へ向かう場合はステップ６０６へ、テレ端へ向かう場合はステップ６１０へ進む。
＜記載事項１３＞
【０１２５】ここではまずワイド端へ向かう場合のフローを説明する。ステップ６０６では電子ズームがＯＮかＯＦＦかが判別される。ここで電子ズームがＯＦＦとは電子ズームによりズーミングが成されていない状態、即ち所定の撮像サイズのまま所謂トリミングに相当する切り出しを行なっていない状態をいい、電子ズームがＯＮとは何倍かの電子ズームがかかっている領域にあることを示す。
【０１２６】電子ズームがＯＮ（ＯＦＦでない）時はステップ６０６の判定はＮとなり、ステップ６０７へ進み、操作者の操作に対応して、まず電子ズームにて倍率を小さくしていく様にカメラマイコン４０９へ通信，指示する。この通信も前述の接点ブロックを介して行なわれる。
【０１２７】次にステップ６０８にてこの電子ズームがＯＦＦのところ（Ｘ１）まで引かれたかどうか判別される。Ｎであればスタートに戻り操作が継続すれば同じルートを繰り返すので電子ズームによる変倍が続く。
【０１２８】一方、この結果、ついには電子ズームがＯＦＦとなるとステップ６０８の判定はＹとなり、ステップ６０９に進む。ステップ６０９では第２群をワイド方向へ（ここで例として挙げてきた４群ズームレンズの例では第２群を被写体側に繰り出す）移動させることで光学ズームを行い、操作者の意図に対応するものとなる。ステップ６０６でＹ（即ち電子ズームが既にＯＦＦにある）時にはステップ６０９にて光学ズームによりワイド側へズームする。
【０１２９】一方、ステップ６０３の判別の結果がＮ、即ちワイド側からテレ側方向へのズーミング指示であった場合は、ステップ６１０に進む。ここでステップ６０６と同じくカメラマイコン４０９より通信されてきた電子ズームの状況が判別される。電子ズームがＯＮしていればステップ６１１で電子ズームによりテレ側にズームする。又電子ズームＯＦＦであればステップ６１２にて第２群を光軸方向へ移動することで光学ズームによる変倍を行い、光学ズームのテレ端に達したら（ステップ６１３がＹ）電子ズームへ引き渡す。」
＜記載事項１４＞
「【０１３３】尚、本実施形態においてズーミング動作を撮影レンズ４１８側のレンズマイコン４１０の代わりにカメラ本体４１９側のカメラマイコン４０９で行っても良い。このときの動作は図９のフローチャートの一部を次のとおり変更すれば良い。」
＜記載事項１５＞
「【０１３４】・ステップ６０２，６０４の変更はないが、ステップ６０２の判別はレンズマイコン４１０よりカメラマイコン４０９へ通信してくる操作結果をもとに判別する。
【０１３５】・ステップ６０６，６１０の判別はカメラ本体側で単独となり、通信は不用となる。
【０１３６】・ステップ６０７，６１１は単に「電子ズームでワイドへ」となり通信は不用となる。
【０１３７】・ステップ６０８の判別もカメラ本体側で単独で行え、通信は不用となる。
【０１３８】・ステップ６０９，６１２の動作カメラマイコンより接点を介し、レンズマイコンへ通信して行う。
【０１３９】・ステップ６１３の判別はレンズマイコン４１０よりカメラマイコン４０９へ通信してくる結果から判別する。」
　
　そして、引用刊行物１には、実施形態２において、レンズマイコン４１０でズーミング動作を行うときのフローチャートが図９に図示されているが、ズーミング動作をカメラマイコン４０９で行ったものは、図９のフローチャートを段落【０１３４】〜【０１３９】に記載のように変更すると記載されている。
　してみると、上記フローチャートを説明した段落【０１２０】〜【０１２４】及び上記段落【０１３４】〜【０１３９】の記載を併せてみれば、カメラマイコン４０９は、以下のステップを有することになる。
　
（１）「ステップ６０１」でスタートする。
（２）レンズマイコン４１０よりカメラマイコン４０９へ通信してくる操作結果をもとに「ステップ６０２」でリング部材５０６の回動が操作者によって行われたかどうかを判別し、行われていなければステップ６０４にてカメラ本体側のズーム操作手段１５７からの状況を判別する。この際にはカメラ（本体）マイコン４０９より接点部（接点ブロック）を介してレンズマイコン４１０に送られたカメラ側のズームスイッチ１５７の操作状況が必要となる。ここでもズーム操作が行われていなければＮとなり、スタートへ戻る。又仮にリング部材５０６とカメラ本体側のズームスイッチ１５７が両方操作されているような場合では、この例のフローチャートではリング部材５０６の操作が第１優先となる。この順位付けはステップ６０２とステップ６０４を入れ換えることによって対応している。
（３）どちらかのズームスイッチが操作されている場合にはステップ６０３にてその操作がテレ端からワイド端へ向かう（短焦点距離側へ向かう）操作なのか又はワイド端からテレ端へ向かう（長焦点距離側へ向かう）操作なのかを判別する。ワイド端へ向かう場合はステップ６０６へ、テレ端へ向かう場合はステップ６１０へ進む。
　
　また、図１の記載からみて、レンズ撮影レンズに設けられたレンズマイコン４１０は、 
 ・カメラマイコン４０９にレンズ撮影レンズ側の情報を出力する 
 ・カメラマイコン４０９からカメラ本体側の情報を入力する 
 ・変倍部（１１２，１１４）のズーミング（変倍）を制御する 
 ことを読み取ることができる。 
 　 
　同じく、図１の記載からみて、カメラ本体４１９に設けられたカメラマイコン４０９は、 
 ・レンズマイコン４１０からレンズ撮影レンズ側の情報を入力する 
 ・情報をレンズマイコン４１０に出力する 
  ことを読み取ることができる。 
 　
　次に、図９のフローチャートにおける＜カメラ本体側ズーム操作？＞６０４、＜ＭＺ環操作？＞６０２、＜変倍レンズ群テレ端か？＞６１３のそれぞれの判断について検討する。
　なお、「ＭＺ環」は「リング部材５０６」のことである。
　
（ア）＜カメラ本体側ズーム操作？＞６０４の判断について
　＜カメラ本体側ズーム操作？＞６０４の判断を、カメラ本体側のズーム操作手段１５７の操作情報に基づいてカメラマイコン４０９で行っていることは自明である。
　
（イ）＜ＭＺ環操作？＞６０２の判断について
　引用刊行物１には、「【０１２３】（略）又仮にリング部材５０６とカメラ本体側のズームスイッチ１５７が両方操作されているような場合では、この例のフローチャートではリング部材５０６の操作が第１優先となる。この順位付けはステップ６０２とステップ６０４を入れ換えることによって対応している。
【０１２４】どちらかのズームスイッチが操作されている場合にはステップ６０３にてその操作がテレ端からワイド端へ向かう（短焦点距離側へ向かう）操作なのか又はワイド端からテレ端へ向かう（長焦点距離側へ向かう）操作なのかを判別する。ワイド端へ向かう場合はステップ６０６へ、テレ端へ向かう場合はステップ６１０へ進む。」と記載されている。
　
　この記載によれば、レンズ側の「ＭＺ環」すなわち、リング部材５０６は、カメラ本体側のズームスイッチ１５７（ズーム操作手段１５７）と同じくズーム操作手段である。
　そして、＜ＭＺ環操作？＞６０２の判断を、ＭＺ環、すなわちレンズ側のリング部材５０６の操作情報に基づいてカメラ本体側のカメラマイコン４０９で行っていることは自明である。
　また、それ故に上記レンズ側のリング部材５０６の操作情報は、レンズマイコン４１０からカメラマイコン４０９に通信された情報であることも自明である。
　
（ウ）＜変倍レンズ群テレ端か？＞６１３の判断について
　＜変倍レンズ群テレ端か？＞６１３の判断のためには、変倍レンズ群１１２がテレ端にあるか否かを示すテレ端情報に基づいて判断していることは自明である。また、該判断をカメラマイコン４０９で行っているから、該テレ端情報は、レンズマイコン４１０からカメラマイコン４０９に通信された情報であることも自明である。
　
　したがって、リング部材の操作情報と変倍レンズ群１１２がテレ端にあるか否かを示すテレ端情報とをレンズマイコン４１０からカメラマイコン４０９に通信することは自明である。
　 
　そして、引用刊行物１に記載された光学機器は、撮影レンズ４１８とカメラ本体４１９とを備えている（記載事項１、図１）。 
　
　したがって、上記記載事項１ないし１５及び図面の記載に基づけば、
　撮影レンズ４１８は、以下の構成を有することが分かる。
・第４のレンズ群であるフォーカスレンズ群１１４（記載事項２）
・第２のレンズ群であるバリエーターレンズ群１１２（記載事項２）
・回転方向と回動速度をもって変倍を行うリング部材５０６（記載事項１１）
・リング部材の操作情報と変倍レンズ群１１２がテレ端にあるか否かを示すテレ端情報とをカメラマイコン４０９に通信するレンズマイコン４１０（図９）
・カメラマイコン４０９からカメラ本体側の情報を入力する レンズマイコン４１０（図１）
・バリエーターレンズ群１１２、フォーカスレンズ群１１４を光軸方向に移動させる信号を生成するレンズマイコン４１０（記載事項３）
　
　また、カメラ本体４１９は、以下の構成を有することが分かる。
・レンズマイコン４１０から撮影レンズ側の情報を入力するカメラマイコン４０９（図１）
・ワイド側からテレ側へ又はテレ側からワイド側へのズーミングを行なう電子ズーム又は光学ズームを行うズーム操作手段１５７（記載事項８）
・変倍レンズ群（バリエーターレンズ群１１２）ワイド側又はテレ側へ駆動するための情報を、カメラマイコン４０９からレンズマイコン４１０に通信する手段（図９、記載事項１５）
　
　よって、上記記載事項１ないし１５及び図面の記載に基づけば、引用刊行物１には、　
「　第４のレンズ群であるフォーカスレンズ群１１４と、
第２のレンズ群であるバリエーターレンズ群１１２と、
回転方向と回動速度をもって変倍を行うリング部材５０６と、
上記リング部材の操作情報と変倍レンズ群１１２がテレ端にあるか否かを示すテレ端情報とをカメラマイコン４０９に通信するレンズマイコン４１０と、
カメラマイコン４０９からカメラ本体側の情報を入力するレンズマイコン４１０と、
上記バリエーターレンズ群１１２、フォーカスレンズ群１１４を光軸方向に移動させる信号を生成するレンズマイコン４１０とを有する撮影レンズ４１８と、
上記レンズマイコン４１０から撮影レンズ側の上記リング部材の操作情報と変倍レンズ群１１２がテレ端にあるか否かを示すテレ端情報とを入力するカメラマイコン４０９と、
ワイド側からテレ側へ又はテレ側からワイド側へのズーミングを行なう電子ズーム又は光学ズームを行うズーム操作手段１５７と、
上記変倍レンズ群（バリエーターレンズ群１１２）をワイド側又はテレ側へ駆動するための情報を、カメラマイコン４０９からレンズマイコン４１０に通信する手段とを有するカメラ本体４１９とを備えた光学機器。」の発明（以下「引用発明」という。）が記載されている。
　
　同じく、当審からの拒絶の理由に引用され、本願の出願前に頒布された特開平９−３３７９３号公報（以下「引用刊行物２」という。）には、「撮像装置」の発明に関して、以下の事項が記載されている。
＜記載事項１６＞
「【０００１】
【発明の属する技術分野】本発明は、レンズ脱着交換可能なビデオカメラに関するものである。」
＜記載事項１７＞
「【０００９】そこで本願の課題は、光学ズームと電子ズームの引き継ぎ動作を円滑にかつ違和感なく行えるようにするとともに、特に交換レンズシステムにおいて、いかなるレンズユニトが装着されても、光学ズームと電子ズームとの引き継ぎ動作を円滑に、かつ違和感なく行えるようにした撮像装置、レンズユニット、カメラを提供することにある。」
＜記載事項１８＞
「【００２５】
【発明の実施の形態】以下、各図を参照しながら、本発明の実施の形態について説明する。
【００２６】まず光学ズームと電子ズームのコンビネーションについて説明する。
【００２７】図９は、近年、小型化が可能なことから、広く使用されているインナーフォーカスタイプレンズシステムの基本構成を示すものである。同図において１は固定されている第１のレンズ群、２は変倍を行う第２のレンズ群（以下変倍レンズと称す）、３は固定されている第３のレンズ群、４は焦点調節機能と変倍による焦点面の移動を補正するいわゆるコンペンセータ機能とを兼ね備えた第４のレンズ群（以下コンペレンズと称す）、５は撮像素子、５ａは撮像素子の撮像面、６は入射光量を調節する絞りである。」
＜記載事項１９＞
「【０１３０】図５は、レンズマイコンＬＭＣの動作の一部であるズーム動作を説明するための制御フローチャートである。尚、本制御フローチャートは、マニュアルズームを例にとって説明を行う。
【０１３１】同フローチャートにおいて、Ｓ６１は、処理の開始を示している。Ｓ６２はカメラマイコンＣＭＣからデータ通信によつて受け取った情報が「ズームレンズ停止」なのかどうかの判別処理であり、「ズームレンズ停止」ならば、Ｓ７０へと移行し、変倍レンズを停止させる処理を行う。またそうでなければＳ６３の処理へと進む。」
＜記載事項２０＞
「【０１３５】Ｓ６６では、現在の変倍レンズの位置が、レンズマイコンＬＭＣ内に記憶している代表軌跡データを所有する変倍レンズ位置（この位置を境界位置と呼ぶ）であるかどうかの判別を行い、もし境界位置上z(n)にない場合は、軌跡計算が出来ないとしてＳ６９へと移行し、前回計算された変倍レンズ、コンペレンズの移動方向及び移動速度を保持する。
【０１３６】一方、もしＳ６６で、変倍レンズ位置が境界位置上z(n)である場合、すなわち軌跡計算可能な場合には、Ｓ６７に移行し、前記（１）式で求まる隣の境界上の追従先フォーカス位置p(n+1)を算出する。
【０１３７】Ｓ６８では、変倍レンズの移動速度Ｖｚを算出する。これは、レンズマイコンＬＭＣ内に記憶されたズーム速度テーブルから変倍レンズ位置をパラメーターとして読み出した値にＶｚを設定する処理である。このテーブルは、図２に示した方法と同様な方法で求められる。
【０１３８】さらにＳ６８では、追従先フォーカス位置p(n+1)、変倍レンズ移動速度Ｖｚを用いて、前記（２）式からコンペレンズ移動速度Ｖｆを算出し、Ｓ６９へと移行する。
【０１３９】Ｓ６９ではコンペレンズ、変倍レンズを駆動させる。ズーム時のコンペレンズの移動方向は、Ｖｆが正なら至近方向、負なら無限方向であり、Ｖｆ＝０ならば停止である。」
　　
５　対比
　本願発明と引用発明とを比較する。
　
　引用発明の「撮影レンズ４１８」は本願発明の「レンズ装置」に相当し、引用発明の「撮影レンズ４１８」の有する構成についてみるに
・引用発明の「第４のレンズ群であるフォーカスレンズ群１１４」は、本願発明の「フォーカス動作を行うフォーカス手段」に相当する。
・引用発明の「第２のレンズ群であるバリエーターレンズ群１１２」は、本願発明の「ズーム動作を行う変倍レンズ手段」に相当する。
・引用発明の「回転方向と回動速度をもって変倍を行うリング部材５０６」は、撮影レンズ４１８に設けられるので、本願発明の「変倍レンズ手段を操作するレンズ側ズーム操作手段」に相当する。
・引用発明の「リング部材の操作情報と変倍レンズ群１１２がテレ端にあるか否かを示すテレ端情報」は、本願発明の「レンズ側ズーム操作手段からのレンズ側ズーム操作情報と上記変倍レンズ手段がテレ端にあるか否かを示す光学テレ端情報」に相当する。
・引用発明の「カメラマイコン４０９に通信するレンズマイコン４１０」は、本願発明の「出力するレンズ側情報出力手段」に相当する。
・引用発明の「カメラマイコン４０９からカメラ本体側の情報」は、撮影レンズ４１８にとって外部の情報であるから、引用発明の「カメラマイコン４０９からカメラ本体側の情報を入力するレンズマイコン４１０」は、本願発明の「外部からの情報を入力するレンズ側情報入力手段」に相当する。
・引用発明の「レンズマイコン４１０」は本願発明の「制御手段」に相当するから、引用発明の「バリエーターレンズ群１１２、フォーカスレンズ群１１４を光軸方向に移動させる信号を生成するレンズマイコン４１０」は、本願発明の「変倍レンズ手段のズーム動作とフォーカス手段のフォーカス動作とを制御する制御手段」に相当する。
　
　引用発明の「カメラ本体４１９」は本願発明の「撮像装置」に相当し、引用発明の「カメラ本体４１９」の有する構成についてみるに
・引用発明の「レンズマイコン４１０からレンズ撮影レンズ側のリング部材の操作情報と変倍レンズ群１１２がテレ端にあるか否かを示すテレ端情報とを入力するカメラマイコン４０９」は、本願発明の「レンズ側情報出力手段からレンズ側ズーム操作情報と光学テレ端情報とを入力する撮像装置側情報入力手段」に相当する。
・引用発明の「ワイド側からテレ側へ又はテレ側からワイド側へのズーミングを行なう」「光学ズーム」は、カメラ本体４１９のズーム操作手段１５７によって行われるから、本願発明の「変倍レンズ手段に対する撮像装置側ズーム操作」に相当する。そして、引用発明の「光学ズームを行うズーム操作手段１５７」は、光学ズームの操作情報を入力することは明らかである。
　したがって、引用発明の「ワイド側からテレ側へ又はテレ側からワイド側へのズーミングを行なう電子ズーム又は光学ズームを行うズーム操作手段１５７」は、本願発明の「変倍レンズ手段に対する撮像装置側ズーム操作情報を入力する撮像装置側ズーム操作手段」に相当する。
・引用発明の「変倍レンズ群（バリエーターレンズ群１１２）をワイド側又はテレ側へ駆動するための情報」は、上記変倍レンズ群（バリエーターレンズ群１１２）のズーム動作を制御する情報であることは明らかであり、該情報の内容からみて、本願発明の「光学ズーム制御情報」と呼称し得るものである。
　したがって、引用発明の「変倍レンズ群（バリエーターレンズ群１１２）ワイド側又はテレ側へ駆動するための情報を、カメラマイコン４０９からレンズマイコン４１０に通信する手段」は、本願発明の「変倍レンズ手段のズーム動作を制御する光学ズーム制御情報を作成しレンズ側情報入力手段に出力する撮像装置側情報出力手段」に相当する。
　
　引用発明の対象である「光学機器」は「撮影レンズ４１８」と「カメラ本体４１９」からなるシステムといえるから、本願発明の対象である「カメラシステム」に相当する。 
 　 
　　したがって、両者は、
「フォーカス動作を行うフォーカス手段と、
　ズーム動作を行う変倍レンズ手段と、
　上記変倍レンズ手段を操作するレンズ側ズーム操作手段と、
　上記レンズ側ズーム操作手段からのレンズ側ズーム操作情報と上記変倍レンズ手段がテレ端にあるか否かを示す光学テレ端情報とを出力するレンズ側情報出力手段と、
　外部からの情報を入力するレンズ側情報入力手段と、
　上記変倍レンズ手段のズーム動作と上記フォーカス手段のフォーカス動作とを制御する制御手段とを有するレンズ装置と、
　上記レンズ側情報出力手段から上記レンズ側ズーム操作情報と上記光学テレ端情報とを入力する撮像装置側情報入力手段と、
　上記変倍レンズ手段に対する撮像装置側ズーム操作情報を入力する撮像装置側ズーム操作手段と、
　上記変倍レンズ手段のズーム動作を制御する光学ズーム制御情報を作成し上記レンズ側情報入力手段に出力する撮像装置側情報出力手段とを有する撮像装置とを備えたことを特徴とする撮像システム。」の点で一致するが、以下の点で相違する。
　
[相違点１]
　光学ズーム制御情報について、本願発明は、レンズ側ズーム操作情報と撮像装置側ズーム操作情報と、光学テレ端情報から変倍レンズ手段の駆動を停止させるズーム停止情報とに基づいて作成されるのに対して、引用発明は、そのように限定されていない点。
[相違点２]
　本願発明は、光学ズーム制御情報に基づいて変倍レンズ手段を移動させる場合に上記制御手段（上記の内容を補足して記載すると、変倍レンズ手段のズーム動作とフォーカス手段のフォーカス動作とを制御する制御手段）が変倍レンズ手段の移動速度とフォーカス手段の移動速度および移動方向を計算し駆動させ、上記光学ズーム制御情報としてズーム停止情報を受信した場合には変倍レンズ手段を停止させるとともに上記計算を行わないのに対して、引用発明は、そのように限定されていない点。
　　
６　当審の判断
（１）相違点１
　ア　ズーム停止情報について
　引用刊行物１において、レンズマイコン４１０でズーミング動作を行うときのフローチャートが記載された図９の説明個所である段落【０１２９】には、「ステップ６１２にて第２群を光軸方向へ移動することで光学ズームによる変倍を行い、光学ズームのテレ端に達したら（ステップ６１３がＹ）電子ズームへ引き渡す。」と記載されている。
　引用刊行物１に記載されたものは、ズーミングを光学ズームと電子ズームを併用して行っており、上記「光学ズームのテレ端に達したら」「電子ズームへ引き渡す」との記載は、光学ズームである変倍レンズ手段（バリエータレンズ群１１２）からみると、光学ズームのテレ端に達したら変倍レンズ手段のズーム動作を禁止することが読み取れる。
　
　また、引用刊行物１には、「なお、第２群の位置がワイド端からテレ端へのズームでテレ端にテレ端からワイド端へのズームでワイド端に達した以降は、リング部材５０６の回転が行われても各レンズ群は停止している。更に電子ズームを有する場合、この回転検出結果により図８に示すような光学ズームと電子ズームの連続的制御を行うことも可能である。」（段落【０１１５】）との記載もあり、この記載からも、光学ズームのテレ端に達したら変倍レンズ手段のズーム動作を禁止することが読み取れる。
る。
　そして、カメラマイコン４０９でズーミング動作を行う場合でも、光学ズームのテレ端に達したら変倍レンズ手段のズーム動作を禁止することが、引用刊行物１の記載から同様に読み取れる。
　
　してみると、引用発明において、光学ズームのテレ端に達したとき、本願発明の「光学テレ端情報から変倍レンズ手段の駆動を停止させるズーム停止情報」に相当する情報をカメラ本体側（カメラ装置側）から撮影レンズ側（レンズ装置側）に出力することは自明である。
　そして、光学ズーム制御情報は、撮像装置側情報出力手段からレンズ側情報入力手段に出力し、変倍レンズ手段のズーム動作を制御するための情報であるから、光学ズーム制御情報に、本願発明の「光学テレ端情報から変倍レンズ手段の駆動を停止させるズーム停止情報」を含ませることも自明である。
　
イ　レンズ側ズーム操作情報と撮像装置側ズーム操作情報について
　引用発明も有する本願発明でいう「光学ズーム制御情報」は、撮像装置側情報出力手段からレンズ側情報入力手段に出力し、変倍レンズ手段のズーム動作を制御するための情報であるから、光学ズーム制御情報には、レンズ側のリング部材５０６の操作情報（本審決の第８ページの「（イ）」）（レンズ側ズーム操作情報）とカメラ本体側のズーム操作手段１５７の操作情報（同ページ「（ア）」）（撮像装置側ズーム操作情報）が含まれることは明らかである。
　
　ウ　本願発明の「光学ズーム制御情報」について「基づいて作成される」の意味について検討する。
　
　請求項１の下から２行目に「上記光学ズーム制御情報として上記ズーム停止情報を受信した場合」と記載されていることから、光学ズーム制御情報が、レンズ側ズーム操作情報と撮像装置側ズーム操作情報と、光学テレ端情報から変倍レンズ手段の駆動を停止させるズーム停止情報を含む以上に格別な技術的な意味があるとはいえない。
　
　したがって、上記「ア」ないし「ウ」で検討したことから、相違点１に係る本願発明の発明特定事項、すなわち、光学ズーム制御情報には、レンズ側ズーム操作情報と撮像装置側ズーム操作情報と、光学テレ端情報から変倍レンズ手段の駆動を停止させるズーム停止情報とに基づいて作成することは、引用刊行物１の記載に基づいて当業者が容易に想到し得たものである。
　
（２）相違点２
　引用刊行物１には、レンズマイコン４１０は、ズームレンズの各種の駆動を制御している旨記載され（段落【００９２】）、かつ、レンズマイコン４１０の出力が、変倍レンズ群１１２を駆動する変倍群駆動手段１４５、フォーカス群１１４を駆動する第４群駆動手段１６２に入力されている。
　したがって、レンズマイコン４１０に、変倍レンズ群１１２の位置を制御する演算及びフォーカス群１１４に位置を制御する演算をさせようとすることは、格別なことではない。
　
　そこで、以下のア及びイの場合について、さらに検討する。
　
ア　光学ズーム制御情報に基づいて変倍レンズ手段を移動させる場合について検討する。
　
　引用刊行物２には、
（ア）引用発明と同じ技術分野に属する撮像装置に関する発明について記載されている。
（イ）レンズマイコンＬＭＣは、変倍レンズ２及びコンペレンズ４の駆動を制御する（全体のブロック図である図１，レンズマイコンＬＭＣの動作の一部であるズーム動作を説明する制御フローチャートである図５参照）ことが記載されている。
（ウ）変倍レンズの移動速度（Ｓ６８）、コンペレンズ移動速度（Ｓ６８）、ズーム時のコンペレンズの移動方向（Ｓ６９）を算出することが記載されている（上記制御フローチャートの説明個所である【０１３７】〜【０１３９】）
　
　してみると、引用発明において、光学ズーム制御情報に基づき、変倍レンズ手段（バリエータレンズ群１１２）を移動させる場合に、レンズ装置の制御手段（レンズマイコン４１０）に、変倍レンズ手段の移動速度とフォーカス手段の移動速度および移動方向を計算し駆動させることは、引用刊行物１及び引用刊行物２に記載された発明に基づいて当業者が容易に想到し得たものである。
　
イ　光学ズーム制御情報としてズーム停止情報を受信した場合について検討する。
　
　ズーム停止情報を受信した場合、本願発明のように、変倍レンズ手段を停止させることは自明である。
　また、上記の場合には、変倍レンズ手段及びフォーカス手段を駆動する必要がないので、レンズ装置の制御手段（レンズマイコン４１０）が、変倍レンズ手段の移動速度とフォーカス手段の移動速度および移動方向を計算しないことも自明である。
　
　したがって、相違点２に係る本願発明の発明特定事項、すなわち、光学ズーム制御情報に基づいて変倍レンズ手段を移動させる場合に上記制御手段が変倍レンズ手段の移動速度とフォーカス手段の移動速度および移動方向を計算し駆動させ、上記光学ズーム制御情報としてズーム停止情報を受信した場合には変倍レンズ手段を停止させるとともに上記計算を行わないことは、引用刊行物１及び引用刊行物２に記載された発明に基づいて当業者が容易に想到し得たものである。
　
　そして、本願発明の効果は、引用刊行物１及び引用刊行物２の記載から当業者が予測し得る範囲内のものである。
　
７　むすび
　以上のとおり、本願発明は、引用刊行物１及び引用刊行物２に記載された発明に基づいて当業者が容易に発明することができたものであるから、特許法第２９条第２項の規定により特許を受けることができない。
　よって、結論のとおり審決する。